(57)【要約】【課題】  紙層は従来と同じものを使用しながらも合成樹脂フィルムを低コストの材料で構成して、低コストで合成樹脂フィルムと紙層との融着を防止する【解決手段】  合成樹脂フィルム１０は、ポリオレフィン、特にポリエチレン（PE)の高分子成分の材料を薄い膜状に成型したものであって、第１の融点Ｔ1を有する内面側の第１の層１１と、紙層２０の内面に接し第１の融点Ｔ1よりも高い第２の融点Ｔ2を有する外面側の第２の層１２とを含んで構成された積層フィルムである。【選択図】  図２
2019108145.tif 000002
【特許請求の範囲】
【請求項１】
最内層の筒状の合成樹脂フィルムと、外側の筒状の紙層とからなる紙袋用チューブの少なくとも一方の開口端部を熱溶着によって封緘する包装袋の製造方法において、
前記合成樹脂フィルムは、ポリオレフィンの積層フィルムであり、
前記合成樹脂フィルムを、第１の融点を有する内面側の第１の層と、前記紙層の内面に接し前記第１の融点よりも高い第２の融点を有する外面側の第２の層とを含んで構成された積層フィルムとなし、
前記合成樹脂フィルムと前記紙層とが融着されることなく、前記合成樹脂フィルム同士が溶着される温度条件で熱溶着を実施することによって、前記紙袋用チューブの少なくとも一方の開口端部を、熱溶着によって封緘することを特徴とする包装袋の製造方法。
【請求項２】
最内層の筒状の合成樹脂フィルムと、外側の筒状の紙層とからなる紙袋用チューブの少なくとも一方の開口端部を熱溶着によって封緘し、つぎに、前記一方の開口端部を開口して折り曲げて底面が形成されてなる包装袋の製造方法において、
前記合成樹脂フィルムは、ポリオレフィンの積層フィルムであり、
前記合成樹脂フィルムを、第１の融点を有する内面側の第１の層と、前記紙層の内面に接し前記第１の融点よりも高い第２の融点を有する外面側の第２の層とを含んで構成された積層フィルムとなし、
前記紙袋用チューブの少なくとも一方の開口端部を、熱溶着によって封緘するステップであって、前記合成樹脂フィルムと前記紙層とが融着されることなく、前記合成樹脂フィルム同士が溶着される温度条件で熱溶着を実施することによって、前記合成樹脂フィルムと前記紙層とが融着されることなく、前記合成樹脂フィルム同士を溶着する第１のステップと、
前記第１のステップの後に実行されるステップであって、前記一方の開口端部を開口して折り曲げて底面を形成する第２のステップと
を含む包装袋の製造方法。
【請求項３】
最内層の筒状の合成樹脂フィルムと、外側の筒状の紙層とからなる紙袋用チューブの少なくとも一方の開口端部が封緘されている構造の包装袋であって、
前記合成樹脂フィルムは、ポリオレフィンの積層フィルムであり、
前記合成樹脂フィルムが、第１の融点を有する内面側の第１の層と、前記紙層の内面に接し前記第１の融点よりも高い第２の融点を有する外面側の第２の層とを含んで構成された積層フィルムであり、
前記合成樹脂フィルムと前記紙層とが融着されることなく、前記合成樹脂フィルム同士が溶着された状態で、前記紙袋用チューブの前記少なくとも一方の開口端部が、封緘されている構造の包装袋。
【請求項４】
最内層の筒状の合成樹脂フィルムと、外側の筒状の紙層とからなる紙袋用チューブの少なくとも一方の開口端部を熱溶着によって封緘し、つぎに、前記一方の開口端部を開口して折り曲げて底面が形成されてなる包装袋の製造に用いられる合成樹脂フィルムであって、
前記合成樹脂フィルムは、ポリオレフィンの積層フィルムであり、
第１の融点を有する内面側の第１の層と、前記第１の融点よりも高い第２の融点を有する外面側の第２の層とを含んで構成された積層フィルムであることを特徴とする包装袋の製造に用いられる合成樹脂フィルム。
【発明の詳細な説明】
【技術分野】
【０００１】
本発明は、最内層に合成樹脂フィルムを用いた包装袋に関し、その包装袋の製造方法および包装袋並びに包装袋の製造に用いられるフィルムに関する。
【背景技術】
【０００２】
包装袋には、最内層に、筒状（チューブ状）の合成樹脂フィルムを用い、その外側を筒状（チューブ状）の紙層で覆うことで構成されたものがある。こうした多層の包装袋は、紙袋用チューブの少なくとも一方の開口端部が、熱溶着（ヒートシール）によって封緘されるヒートシール工程を経て製造される。
【０００３】
合成樹脂フィルムは、たとえばポリエチレン（PE)であり、特に低密度ポリエチレン（LDPE）、または直鎖状低密度ポリエチレン(LLDPE)が用いられる。紙層には、たとえばクラフト紙が用いられる。
【０００４】
たとえば最内層に合成樹脂フィルムを用いた片底貼り袋などを製造する場合には、ヒートシール工程の後工程では、一度封緘された包装袋の端部を、底成形のために、合成樹脂フィルムの封緘状態を維持したまま、開口する必要がある。
【０００５】
また、たとえば最内層に合成樹脂フィルムを用いた開封機能付き紙袋の場合には、ヒートシール工程の後工程では、合成樹脂フィルムの封緘状態を維持したまま、包装袋の端部を開口せずに、折り返して封緘する。食品関係を扱う需要先では、開封機能付き紙袋をクリーンルーム等で保管するに際して、紙層と合成樹脂フィルムとを分離する必要がある。
また、紙層と合成樹脂フィルムとを分離しない場合でも包装袋を破棄する際に、紙層と合成樹脂フィルムとを分別する必要がある。
また、合成樹脂フィルムを用いた包装袋は、どのような形態であれ、資源再利用に回すためには、紙層と合成樹脂フィルムとを分別することが必要となる。
下記特許文献１には、ポリエチレンフィルムの製造方法に関して、シーラント層の融点よりも外面側の配向層の融点を高くするという発明が記載されている。
【０００６】
下記特許文献２には、多重壁バッグに関して、熱密封可能な内部チューブの外面を、非密封可能な外部チューブによって覆うことによって、内容物を密封した状態で、内部チューブを外部チューブから分離してバッグから引き出すという発明が記載されている。
【先行技術文献】
【特許文献】
【０００７】
【特許文献１】特開２０１７-１０９４０２号公報
【特許文献２】特開昭５２-３２７７０号公報
【発明の概要】
【発明が解決しようとする課題】
【０００８】
最内層に合成樹脂フィルムを用いた底貼り袋を製造する場合には、包装袋の端部を開口するに際して、ヒートシールされた最内層の合成樹脂フィルムが、表裏両面ともに、その外側の紙層と融着している。このため仕上げ機械によって自動的に開口する作業を行うことが困難となる。
【０００９】
したがって従来にあっては、ヒートシール工程の後、底成形工程の前に、別工程で、作業者が手作業で合成樹脂フィルムと紙層とが融着した部分を剥がす必要があった。このため、仕上げ機械によるヒートシール工程と、底成形工程との間に、手作業による開口作業の工程が付加されるために、人手を要するとともに作業時間を要するという問題が発生していた。
【００１０】
また、手作業で開口作業を行うため、作業が煩雑になると、剥がしが不完全となることがあり、合成樹脂フィルムと紙層とが融着した部分が残っていると、底成形工程の際に仕上げ機械に製品が詰まり、作業中断により生産性が低下するという問題があった。
【００１１】
また、開封機能付き紙袋についても、同様に、紙層と合成樹脂フィルムとを分離するに際して、作業者が手作業で合成樹脂フィルムと紙層とが融着した部分を剥がす必要があり、作業に手間を要するという問題が発生していた。
合成樹脂フィルムを用いた包装袋を、資源再利用に回すためには、紙層と合成樹脂フィルムとを完全に分別することが望ましい。
【００１２】
しかし、ヒートシールによる融着箇所は、軽接着による接着箇所と異なり、手作業で完全に紙とフィルムが分別するように剥がすことが困難である。ヒートシールによる融着箇所を手作業で剥がすと、紙の繊維が合成樹脂フィルムに付着し、場合によっては材料破壊が生じる可能性がある。
【００１３】
ここで、合成樹脂フィルムを積層フィルムとして、紙層と接する面の樹脂層を、ヒートシールすることが困難なほどに融点が高いポリエチレンテレフタレート（PET）やナイロン(NY)とすることで、紙層との融着を抑制することが考えられる。
しかし、ポリエチレンテレフタレート（PET）やナイロン（NY）を積層することで、材料面においてコスト高になるという問題が発生する。
なお、特許文献１には、ポリエチレンフィルムと紙との融着を抑制するという課題およびその解決手段については示されていない。
【００１４】
また、特許文献２にあっては、紙層である外部チューブを非密封可能な材料で構成することを要し、通常のクラフト紙を使用することができないという問題がある。
【００１５】
本発明は、こうした実情に鑑みてなされたものであり、紙層は従来と同じものを使用しながらも合成樹脂フィルムを低コストの材料で構成して、低コストで合成樹脂フィルムと紙層との融着を防止することを解決課題とする。これにより、仕上げ機械により自動的に開口作業を行えるようにして人的コスト低減、生産性の向上を図ることを解決課題とする。また紙層と合成樹脂フィルムとの分離作業を手作業であっても容易に行えるようにすることを解決課題とする。また紙層と合成樹脂フィルムとを完全に分別できるようにして資源再利用に資することを解決課題とする。また、低コストで、紙層と合成樹脂フィルムとの完全な分別が可能な包装袋を市場に提供することを解決課題とする。
【課題を解決するための手段】
【００１６】
第１発明は、
【００１７】
最内層の筒状の合成樹脂フィルムと、外側の筒状の紙層とからなる紙袋用チューブの少なくとも一方の開口端部を熱溶着によって封緘する包装袋の製造方法において、
【００１８】
前記合成樹脂フィルムは、ポリオレフィンの積層フィルムであり、前記合成樹脂フィルムを、第１の融点を有する内面側の第１の層と、前記紙層の内面に接し前記第１の融点よりも高い第２の融点を有する外面側の第２の層とを含んで構成された積層フィルムとなし、
【００１９】
前記合成樹脂フィルムと前記紙層とが融着されることなく、前記合成樹脂フィルム同士が溶着される温度条件で熱溶着を実施することによって、前記紙袋用チューブの少なくとも一方の開口端部を、熱溶着によって封緘することを特徴とする。
第２発明は、
【００２０】
最内層の筒状の合成樹脂フィルムと、外側の筒状の紙層とからなる紙袋用チューブの少なくとも一方の開口端部を熱溶着によって封緘し、つぎに、前記一方の開口端部を開口して折り曲げて底面が形成されてなる包装袋の製造方法において、
【００２１】
前記合成樹脂フィルムは、ポリオレフィンの積層フィルムであり、前記合成樹脂フィルムを、第１の融点を有する内面側の第１の層と、前記紙層の内面に接し前記第１の融点よりも高い第２の融点を有する外面側の第２の層とを含んで構成された積層フィルムとなし、
【００２２】
前記紙袋用チューブの少なくとも一方の開口端部を、熱溶着によって封緘するステップであって、前記合成樹脂フィルムと前記紙層とが融着されることなく、前記合成樹脂フィルム同士が溶着される温度条件で熱溶着を実施することによって、前記合成樹脂フィルムと前記紙層とが融着されることなく、前記合成樹脂フィルム同士を溶着する第１のステップと、
前記第１のステップの後に実行されるステップであって、前記一方の開口端部を開口して折り曲げて底面を形成する第２のステップと
を含む包装袋の製造方法であることを特徴とする。
第３発明は、
最内層の筒状の合成樹脂フィルムと、外側の筒状の紙層とからなる紙袋用チューブの少なくとも一方の開口端部が封緘されている構造の包装袋であって、
【００２３】
前記合成樹脂フィルムは、ポリオレフィンの積層フィルムであり、前記合成樹脂フィルムが、第１の融点を有する内面側の第１の層と、前記紙層の内面に接し前記第１の融点よりも高い第２の融点を有する外面側の第２の層とを含んで構成された積層フィルムであり、
【００２４】
前記合成樹脂フィルムと前記紙層とが融着されることなく、前記合成樹脂フィルム同士が溶着された状態で、前記紙袋用チューブの前記少なくとも一方の開口端部が、封緘されている構造の包装袋であることを特徴とする。
第４発明は、
【００２５】
最内層の筒状の合成樹脂フィルムと、外側の筒状の紙層とからなる紙袋用チューブの少なくとも一方の開口端部を熱溶着によって封緘し、つぎに、前記一方の開口端部を開口して折り曲げて底面が形成されてなる包装袋の製造に用いられる合成樹脂フィルムであって、
【００２６】
前記合成樹脂フィルムは、ポリオレフィンの積層フィルムであり、第１の融点を有する内面側の第１の層と、前記第１の融点よりも高い第２の融点を有する外面側の第２の層とを含んで構成された積層フィルムであることを特徴とする包装袋の製造に用いられる合成樹脂フィルムであることを特徴とする。
【発明の効果】
【００２７】
本発明は、合成樹脂フィルムを、ポリオレフィンの積層フィルムで構成し、合成樹脂フィルムを、第１の融点を有する内面側の第１の層と、紙層の内面に接し前記第１の融点よりも高い第２の融点を有する外面側の第２の層とを含んで構成された積層フィルムとなし、合成樹脂フィルムと前記紙層とが融着されることなく、合成樹脂フィルム同士が溶着される温度条件で熱溶着を実施することによって、合成樹脂フィルムと紙層とが融着されることなく、合成樹脂フィルム同士を溶着できるようにしたものである。
【００２８】
これにより紙層は従来と同じものを使用しながらも、ポリオレフィンという低コストの積層フィルムを合成樹脂フィルムとして用いることが可能となり、低コストで合成樹脂フィルムと紙層との融着を防止することができる。これにより、仕上げ機械により自動的に開口作業を行えるようになり、人的コスト低減、生産性の向上が図られる。また紙層と合成樹脂フィルムとの分離作業を手作業であっても容易に行える。また紙層と合成樹脂フィルムとを完全に分別できるようになり資源再利用に資することができる。また、低コストで、紙層と合成樹脂フィルムとの完全な分別が可能な包装袋を市場に提供することができる。
【図面の簡単な説明】
【００２９】
【図１（ａ）】図１（ａ）は、実施例の片底貼り袋の構成を示す斜視図である。
【図１（ｂ）】図１（ｂ）は、紙袋用チューブの断面を部分的に示す図で、合成樹脂フィルム１０の構成を示す図である。
【図１（ｃ）】図１（ｃ）は、実施例の片底貼り袋の仕上げ機械投入前の半完成品の状態を示す斜視図である。
【図２】図２は、紙袋用チューブの一方の開口端部に対して行われるヒートシール（熱溶着）を説明する図である。
【図３（ａ）】図３（ａ）は、開口工程に用いられる仕上げ機械の主要部を説明する図であり、紙袋用チューブの斜視図である。
【図３（ｂ）】図３（ｂ）は、開口工程に用いられる仕上げ機械の主要部を説明する図であり、紙袋用チューブの上面図である。
【図３（ｃ）】図３（ｃ）は、開口工程に用いられる仕上げ機械の主要部を説明する図であり、紙袋用チューブの底面図である。
【図４（ａ）】図４（ａ）は、開口工程における吸盤の動作を説明する紙袋用チューブの底面図である。
【図４（ｂ）】図４（ｂ）は、開口工程における吸盤の動作を説明する紙袋用チューブの底面図である。
【図５（ａ）】図５（ａ）は、開口工程における一対の開口アームの動作を説明する紙袋用チューブの底面図である。
【図５（ｂ）】図５（ｂ）は、開口工程における一対の開口アームの動作を説明する紙袋用チューブの底面図である。
【図５（ｃ）】図５（ｃ）は、開口工程における一対の開口アームの動作を説明する紙袋用チューブの底面図である。
【図５（ｄ）】図５（ｄ）は、開口工程における一対の開口アームの動作を説明する紙袋用チューブの底面図である。
【図６（ａ）】図６（ａ）は、紙袋用チューブの展開面において、折込部が形成されて底面が形成される工程を説明する図である。
【図６（ｂ）】図６（ｂ）は、紙袋用チューブの展開面において、折込部が形成されて底面が形成される工程を説明する図である。
【図６（ｃ）】図６（ｃ）は、紙袋用チューブの展開面において、折込部が形成されて底面が形成される工程を説明する図である。
【図７】図７は、紙袋用チューブの力紙（外補強紙）が、紙袋用チューブの底面に貼着される工程を説明する図である。
【発明を実施するための形態】
【００３０】
以下、図面を参照して本発明に係る包装袋の製造方法および包装袋並びに包装袋の製造に用いられるフィルムの実施の形態について説明する。
以下では、包装袋として、片底貼り袋を例にとり説明する。
図１（ａ）は、実施例の片底貼り袋１の構成を示す斜視図である。図中、上側が袋表面１Ａであり、図中、下側が袋裏面１Ｂである。
紙袋用チューブ２は、最内層の筒状（チューブ状）の合成樹脂フィルム１０と、外側の筒状（チューブ状）の紙層２０とからなる。
ここで、筒（チューブ）とは、原紙あるいはフィルムを筒状に形成して、一定の寸法に断裁し、両端が開口可能な状態の製袋に適合した原材料のことをいう。
【００３１】
紙層２０は、たとえばクラフト紙を材料にして筒状に形成されてなるものであり、たとえば二層のクラフト紙が、たとえば接着されて強度が高められた構造となっている。
図１（ｂ）は、紙袋用チューブ２の断面を部分的に示す図で、合成樹脂フィルム１０の構成を示す図である。
【００３２】
本実施例の合成樹脂フィルム１０は、合成樹脂の高分子成分の材料であるポリエチレン（PE)を薄い膜状に成型したものであって、第１の融点Ｔ1を有する内面側の第１の層１１と、紙層２０の内面に接し第１の融点Ｔ1よりも高い第２の融点Ｔ2を有する外面側の第２の層１２とを含んで構成された積層フィルムである。
【００３３】
合成樹脂フィルム１０に適合した材料は、包装資材に適合する材料であって、ヒートシール（熱溶着）し易く、しかも強く溶着し、かつ低コストの材料であることが望ましい。合成樹脂フィルム１０は、ポリエチレン（PE)、特に低密度ポリエチレン（LDPE）、または直鎖状低密度ポリエチレン(LLDPE)の積層フィルムであることが望ましい。ポリエチレン（PE)は、低温度（低融点）で、高速に、強く溶着する材料だからである。なお、合成樹脂フィルム１０の材料としては、ポリオレフィンであればよく、ポリエチレン（PE)以外に、ヒートシールを比較的容易に行うことができる材料であるポリプロピレン（PP)であってもよい。
図１（ｃ）は、実施例の片底貼り袋１の仕上げ機械投入前の半完成品の状態を示す斜視図である。
紙袋用チューブ２は、底面が形成されるべき一方の開口端部３と、粉粒体等の内容物が充填されるべき他方は充填側の開口端部４という両開口端部を備えている。
【００３４】
合成樹脂フィルム１０の外面側（第２の層１２側）のうち、袋表面１Ａに相当する部位には、粘着系接着剤９０が塗布されている（図１（ｂ）参照）。粘着系接着剤９０には、たとえば酢酸ビニル-アクリル酸エステル共重合体水性エマルジョンタイプの水性接着剤が用いられる。粘着系接着剤９０によって合成樹脂フィルム１０の外面と紙層２０の内面が接着されることよって、包装袋１の片側である袋表面１Ａ側に、合成樹脂フィルム１０が安定して固着される。そして、包装袋１から合成樹脂フィルム１０を取り出す（紙層２０と合成樹脂フィルム１０とを分離する）際には、合成樹脂フィルム１０に紙層２０の繊維が貼り付くことなく、紙の破れが無く、紙層２０からの剥離が可能となる。
以下、図１（ｃ）に示す片底貼り袋１の半完成品を仕上げ機械に投入した後の各工程について説明する。
（ヒートシール工程）
【００３５】
片底貼り袋１の半完成品が、仕上げ機械に投入されると、専用のヒートシール機によって、合成樹脂フィルム１０に熱を加えることによって、ヒートシール（熱溶着）が行われ、フィルム同士が溶着される。
ヒートシールは、合成樹脂フィルム１０と紙層２０とが融着されることなく、合成樹脂フィルム１０同士が溶着される温度条件で実施する。
ヒートシールを構成するヒーターの合成樹脂フィルム１０に対する圧接面の温度（ヒートシール温度）を調整することによって実施する。
【００３６】
合成樹脂フィルム１０の第２の層１２の第２の融点Ｔ2が、第１の層１１の第１の融点Ｔ1よりも高くなっているために、ヒートシール温度を調整することによって、合成樹脂フィルム１０と紙層２０とが融着されることなく、合成樹脂フィルム１０同士を溶着させることができる。
【００３７】
ヒートシール（熱溶着）は、紙袋用チューブ２の一方の開口端部３に対して行われる。図２に示すように、紙袋用チューブ２の横幅方向に平行なライン状のヒートシール部５が、ヒートシール機によってプレスされながら加熱される。これにより合成成樹脂フィルム１０の対応する端部が溶着され、紙袋用チューブ２の一方の開口端部３が封緘される。これにより片底貼り袋１の他方の充填側の開口端部４から投入された内容物が漏れることなく密閉可能となる。
ヒートシール工程の後、底成形工程が行われる。底成形工程は、開口工程、折込工程、力紙貼着工程からなる。
（開口工程）
図３（ａ）、（ｂ）、（ｃ）は、開口工程に用いられる仕上げ機械の主要部を説明する図であり、それぞれ紙袋用チューブ２の斜視図、上面図、底面図である。
すなわち、開口工程は、吸盤３０と、一対の開口アーム４０Ａ、４０Ｂとによって行われる。図４（ａ）は、吸盤３０の配置構成を示している。
仕上げ機械の一対の開口アーム４０Ａ、４０Ｂの先端にはそれぞれ開口爪４１Ａ、４１Ｂが設けられている。
【００３８】
図３（ａ）および図４（ａ）に示すように、吸盤３０は、紙袋用チューブ２の袋表面１Ａの上方および袋裏面１Ｂの下方それぞれに配置されており（図３（ａ）では上側の吸盤３０のみを示す）、矢印Ａ、Ｂにて示すように、袋表面１Ａ、袋裏面１Ｂそれぞれに対して接近自在（離間自在）に駆動制御される。吸盤３０は、第一折筋６（図３（ｂ）、（ｃ）参照）が形成されるように紙袋用チューブ２がプレスされた後に、袋表面１Ａ、袋裏面１Ｂそれぞれを吸着し、袋表面１Ａを上方向に、袋裏面１Ｂを下方向に移動させ、開口端部３の開口７を拡幅するように駆動制御される。
【００３９】
図３（ａ）、（ｂ）に示すように、吸盤３０によって拡幅された開口端部３の開口７に、矢印Ｃで示すように一対の開口爪４１Ａ、４１Ｂが挿入されて、図３（ｃ）に示すように、一対の開口爪４１Ａ、４１Ｂが、紙袋用チューブ２に対して、展開面２Ａの縦幅方向Ｄ、横幅方向Ｅに相対移動して、展開面２Ａの図中左右両側を内方に折り曲げ、図中左右それぞれに、第一折筋６の端点を頂点とする三角形状の折込部８、９が形成されるように、一対の開口アーム４０Ａ、４０Ｂが、駆動制御される。
図４、図５は、開口工程における吸盤３０と一対の開口アーム４０Ａ、４０Ｂの動作を、紙袋用チューブ２の底面図で示している。
【００４０】
すなわち、第一折筋６が形成されるように紙袋用チューブ２がプレスされた状態で（図３（ｂ）参照）、吸盤３０によって、袋表面１Ａ、袋裏面１Ｂそれぞれが吸着される（図４（ａ））。
【００４１】
つぎに、吸盤３０によって、袋表面１Ａ、袋裏面１Ｂそれぞれが吸着された状態で、袋表面１Ａが上方向に、袋裏面１Ｂが下方向に移動されて、開口端部３の開口７が拡幅される（図４（ｂ））。
【００４２】
つぎに、吸盤３０によって拡幅された開口端部３の開口７に、一対の開口爪４１Ａ、４１Ｂが挿入され（図５（ａ））、一対の開口爪４１Ａ、４１Ｂが、紙袋用チューブ２に対して、展開面２Ａの縦幅方向Ｄに相対移動され（図５（ｂ）、（ｃ））、一対の開口爪４１Ａ、４１Ｂが、紙袋用チューブ２に対して、展開面２Ａの横幅方向Ｅに相対移動される（図５（ｄ））。これにより紙袋用チューブ２の底面２Ａの図中左右両側が内方に折り曲げられ、図中左右それぞれに、第一折筋６の端点を頂点とする三角形状の折込部８、９が形成される。
（折込工程）
紙袋用チューブ２の展開面２Ａには、台形状の折込部を形成するために接着剤が適宜塗布される。
【００４３】
図６（ａ）に示すように、紙袋用チューブ２の展開面２Ａにおいて、紙袋用チューブ２がプレスされることによって図中の左右方向に延びる第二折筋５１、５２が形成される。
【００４４】
図６（ｂ）に示すように、紙袋用チューブ２の展開面２Ａの図中上側が第二折筋５１を折曲線として内方に折り曲げられて、台形状の折込部６１が形成される。ついで、紙袋用チューブ２の展開面２Ａの図中下側が第二折筋５２を折曲線として内方に折り曲げられて、台形状の折込部６２が形成される。台形状の折込部６１、６２同士は、接着剤にて貼着される（図６（ｃ））。
こうして紙袋用チューブ２に、底面２Ｂが形成される。
（力紙貼着工程）
つぎに図７に示すように、力紙（外補強紙）７０が、紙袋用チューブ２の折込部６１、６２に接着剤にて貼着される。
以上のようにして実施例の片底貼り袋１が製造される。
【００４５】
本実施例によれば、包装袋１の端部３を開口するに際して、ヒートシールされた最内層の合成樹脂フィルム１０が、その外側の中間層の紙層２０と融着することがない。このため仕上げ機械によって自動的に包装袋１の端部３を開口する作業を行うことができる。
このため人的コストを要せず、作業時間が短縮され、生産性が向上する。
【００４６】
しかも、合成樹脂フィルム１０を、ポリエチレン（PE)、特に低密度ポリエチレン（LDPE）、または直鎖状低密度ポリエチレン(LLDPE)の積層フィルムで構成したので、ヒートシール（熱溶着）し易く、しかも強く溶着し、かつ低コストで、包装袋１を市場に提供することができる。
【００４７】
以上は、片底貼り袋１を例にとり説明したが、開封機能付き紙袋についても、同様に、紙袋用チューブ２は、最内層の筒状（チューブ状）の合成樹脂フィルム１０と、外側の筒状（チューブ状）の紙層２０とからなり、紙袋用チューブ２の一方の開口端部がヒートシールによって封緘される。        
ただし、開封機能付き紙袋では、包装袋１の端部３を開口することなく、端部３を折り返して封緘する。
【００４８】
開封機能付き紙袋を、紙層２０と合成樹脂フィルム１０とを分離して保管するに際して、紙層２０と合成樹脂フィルム１０は、粘着系接着剤だけで接着されているため、合成樹脂フィルム１０に紙層２０の繊維が貼り付くことなく、紙の破れが無く、紙層２０からの完全な剥離が可能となる。したがって作業者が手作業で合成樹脂フィルム１０と紙層２０とが融着した部分を剥がす必要がなくなり、作業に手間を要しない。
【００４９】
また、包装袋１を、資源再利用に回すためには、紙層２０と合成樹脂フィルム１０とを完全に分別することが望ましいが、本実施例によれば、紙の繊維が合成樹脂フィルムに付着することなく、材料破壊が生じることもなく、両者の完全な分別が可能となる。
以下、比較例と実施例を対比する。
（比較例）
一般的に、低密度ポリエチレン（LDPE）の軟化温度は80〜90℃で、融点は110〜120℃といわれている。
【００５０】
一方でヒートシールに用いられる専用のヒートシール機は、加熱されたヒーターをフィルム表面に圧接してフィルム同士を熱溶着するものである。低密度ポリエチレン（LDPE）の場合には、ヒーターの表面温度（ヒートシール温度）が２００℃前後となる条件で、剥がれにくいシール強度（要求シール強度）を得ることができる。
【００５１】
従来の同一の材料（同一の融点）の低密度ポリエチレン（LDPE）で構成された合成樹脂フィルムの場合には、ヒートシール温度を２００℃前後に設定すると、要求シール強度は得られるものの合成樹脂フィルムが紙層に融着することになっていた。
（実施例）
【００５２】
合成樹脂フィルム１０の第１の層１１を、融点が１０８℃の低密度ポリエチレン（LDPE）とし、その第２層１２を、融点が１２３℃の直鎖状低密度ポリエチレン(L-LDPE)とし、合成樹脂フィルム１０の膜厚を１００μm とした。
一方で、紙層２０は、７８g/m2の未晒しクラフト紙の３層とした。
【００５３】
これら合成樹脂フィルム１０と紙層２０からなる包装袋１のヒートシールをヒートシール温度２２０℃で実施した。ヒートシール機の運転速度は、２２.８m/分で、ヒートシール機のヒーター数は、７対（１４個)であった。
その結果、合成樹脂フィルム１０のフィルム同士は、強固に融着し要求シール強度が得られ、しかも紙層２０との融着はみられなかった。
【符号の説明】
【００５４】
１  包装袋（片底貼り袋）
１Ａ  袋表面
１Ｂ  袋裏面
２  紙袋用チューブ
１０  合成樹脂フィルム
１１  第１の層
１２  第２の層
２０  紙層
【図１（ａ）】
2019108145.tif 000003
【図１（ｂ）】
2019108145.tif 000004
【図１（ｃ）】
2019108145.tif 000005
【図２】
2019108145.tif 000006
【図３（ａ）】
2019108145.tif 000007
【図３（ｂ）】
2019108145.tif 000008
【図３（ｃ）】
2019108145.tif 000009
【図４（ａ）】
2019108145.tif 000010
【図４（ｂ）】
2019108145.tif 000011
【図５（ａ）】
2019108145.tif 000012
【図５（ｂ）】
2019108145.tif 000013
【図５（ｃ）】
2019108145.tif 000014
【図５（ｄ）】
2019108145.tif 000015
【図６（ａ）】
2019108145.tif 000016
【図６（ｂ）】
2019108145.tif 000017
【図６（ｃ）】
2019108145.tif 000018
【図７】
2019108145.tif 000019